(57)【特許請求の範囲】
【請求項１】
電線の導体と当接する当接片及び前記当接片との間に電線の導体を弾性挟持する鎖錠片からなる速結部を備える速結端子板と、絶縁性を有する合成樹脂から形成され内部に速結端子板が少なくとも３個以上納装されるケースとを備え、前記ケースを、被固定部に固定され速結端子板が一列に並べて取り付けられるボディと、一面開口した略箱状であって速結端子板を覆うようにしてボディに被着されるカバーとで構成し、ボディと対向するカバーの主面には各速結端子板に対応してカバーを貫通する電線挿入口がカバーの一つの側面に寄せて形成され、前記電線挿入口に速結部を臨ませるようにして速結端子板はボディに配置されており、電線挿入口に近い側のカバーの側面に少なくとも速結端子板の数と同数の被係止部を各速結端子板の近傍にそれぞれ設けると共に、前記被係止部に対応するボディの部位に被係止部と凹凸係止する係止部を設けてあり、前記係止部をボディの表面に突設された係止突起で構成すると共に、前記被係止部をカバーに設けられた係止孔で構成し、少なくとも両端に位置する係止孔の形状を、カバーの主面側における係止孔と係止突起との間の隙間が、カバーの開口側における係止孔と係止突起との間の隙間よりも小さくなるような形状としたことを特徴とする端子台。
【請求項２】
上記被係止部の設けられたカバーの側面と対向する側面に、ボディに設けた別の係止部と凹凸係止する別の被係止部を設けたことを特徴とする請求項１記載の端子台。
【請求項３】
電線挿入口に近い側のカバーの側面において両端に位置する被係止部から隣接するカバーの側面までの距離が略等しくなるような位置に被係止部を設けたことを特徴とする請求項１記載の端子台。
【請求項４】
上記係止突起の形状を略矩形状とし、少なくとも両端に位置する係止孔の形状を、カバーの主面側の辺に比べて開口側の辺の長さが長くなるような台形形状としたことを特徴とする請求項１記載の端子台。
【請求項５】
上記係止突起は、カバーの主面から遠ざかるにつれて外方への突出量が大きくなるような断面形状に形成されたことを特徴とする請求項３又は４記載の端子台。
【発明の詳細な説明】
【０００１】
【発明の属する技術分野】
本発明は、照明器具などに用いられる端子台に関するものである。
【０００２】
【従来の技術】
この種の端子台としては、図８及び図９に示されるように、ケース１の内部に３個の速結端子板４ａ〜４ｃを収納して構成されるものがあった。尚、３個の速結端子板４ａ〜４ｃの内、２個の速結端子板４ａ，４ｂは電源線接続用の速結端子であり、速結端子板４ｃはアース線接続用の速結端子である（例えば実開平２−８７３８０号公報参照）。
【０００３】
ケース１は、絶縁性を有する合成樹脂からそれぞれ形成されたボディ２とカバー３とを結合して構成される。ボディ２は上面が開口した略箱状であって、ボディ２の底面２ａには３個の速結端子板４ａ〜４ｃを位置決めするためのリブ５が複数突設されており、リブ５に速結端子板４ａ〜４ｃを嵌め込むと、３個の速結端子板４ａ〜４ｃは一列に配置される。一方、カバー３は下面が開口した略箱状であって、速結端子板４ａ〜４ｃを覆うようにしてボディ２に被着される。
【０００４】
カバー３の上面（主面）３ａ及び一側面３ｂには、外部より電線の芯線を挿入するための電線挿入口１０，１３が開口しており、この電線挿入口１０，１３に臨むようにして速結端子板４ａ〜４ｃがケース１の内部に収納されている。すなわち、カバー３の側面３ｂに設けた電線挿入口１３の奥には速結端子板３ａ〜３ｃの速結部が配置されているので、速結部の収納スペースを確保するため、上面３ａに設けた電線挿入口１０は、上面３ａにおいて電線挿入口１３の開口する側面３ｂと反対側の側面３ｂに寄せて設けられている。尚、上面３ａに設けた電線挿入口１０には屋内配線された給電線が接続され、側面３ｂに設けた電線挿入口１３には器具側からの電線が接続される。
【０００５】
ここで、速結端子板４ａ〜４ｃの配列方向と略直交する方向において対向するボディ２の一対の側面２ｂには、それぞれ、外側に向かって突出する一対の係止突起７が速結端子板４ａ〜４ｃの配列方向に沿って配設されている。一方、ボディ２の係止突起７に対応するカバー３の側面３ｂの部位には、係止突起７と凹凸嵌合する係止孔８が２個づつ穿設されている。而して、ボディ２に速結端子板４ａ〜４ｃを取り付けた状態で、カバー３の開口をボディ２側にしてカバー３をボディ２に押し込むと、ボディ２の係止突起７がカバー３の側面３ｂ内面に当接し、係止突起７によって側面３ｂが外側に押し撓められ、さらにカバー３をボディ２側に押し込むと、カバー３の側面３ｂが係止突起７を乗り越えて、側面３ｂに形成された係止孔８と係止突起７とが凹凸嵌合し、ボディ２とカバー３とが結合される。
【０００６】
【発明が解決しようとする課題】
上記構成の端子台では、ケース１の内部に３個の速結端子板４ａ〜４ｃを収納しているのに対して、ボディ２及びカバー３を結合するための係止突起７及び係止孔８は、速結端子板４ａ〜４ｃの配列方向と略直交する方向において対向する一対の側面２ｂ，３ｂにそれぞれ２個づつしか設けられていなかった。すなわち、係止突起７及び係止孔８がそれぞれ設けられた一対の側面２ｂ，３ｂの内、カバー３の上面３ａに開口する電線挿入口１０に近い側の側面２ｂ，３ｂには係止突起７及び係止孔８が２個づつしか設けられておらず、各２個の係止突起７及び係止孔８は電源線接続用の速結端子板４ａ，４ｂの近傍に設けられていた。したがって、アース線接続用の速結端子板４ｃの近傍では、ボディ２とカバー３とを結合する手段がないため、ボディ２とカバー３との結合力が弱くなっており、この速結端子板４ｃに接続された電線が引っ張られると、その引っ張り力によってボディ２とカバー３との結合が外れる虞があった。
【０００７】
また、ボディ２に設けた係止突起７は表面が略矩形状に形成されているが、カバー３の係止孔８も係止突起７と同じ形状に形成されているので、ボディ２とカバー３との結合をスムーズに行うために、係止孔８は係止突起７よりも若干大きめの寸法に形成されている。したがって、ボディ２とカバー３とを結合した状態で、係止突起７と係止孔８との間の隙間が大きくなり、係止突起７及び係止孔８の近傍に速結端子板４ａ〜４ｃが配置されている場合は絶縁距離が短くなるという問題があった。
【０００８】
本発明は上記問題点に鑑みて為されたものであり、その目的とするところは、ボディとカバーとの結合を強固にし、且つ、絶縁性を向上させた端子台を提供することにある。
【０００９】
【課題を解決するための手段】
上記目的を達成するために、請求項１の発明では、電線の導体と当接する当接片及び前記当接片との間に電線の導体を弾性挟持する鎖錠片からなる速結部を備える速結端子板と、絶縁性を有する合成樹脂から形成され内部に速結端子板が少なくとも３個以上納装されるケースとを備え、前記ケースを、被固定部に固定され速結端子板が一列に並べて取り付けられるボディと、一面開口した略箱状であって速結端子板を覆うようにしてボディに被着されるカバーとで構成し、ボディと対向するカバーの主面には各速結端子板に対応してカバーを貫通する電線挿入口がカバーの一つの側面に寄せて形成され、前記電線挿入口に速結部を臨ませるようにして速結端子板はボディに配置されており、電線挿入口に近い側のカバーの側面に少なくとも速結端子板の数と同数の被係止部を各速結端子板の近傍にそれぞれ設けると共に、前記被係止部に対応するボディの部位に被係止部と凹凸係止する係止部を設けてあり、前記係止部をボディの表面に突設された係止突起で構成すると共に、前記被係止部をカバーに設けられた係止孔で構成し、少なくとも両端に位置する係止孔の形状を、カバーの主面側における係止孔と係止突起との間の隙間が、カバーの開口側における係止孔と係止突起との間の隙間よりも小さくなるような形状としたことを特徴とし、電線挿入口に近い側のカバーの側面、すなわち速結端子板の速結部に近い側のカバーの側面には、各速結端子板の近傍の部位にそれぞれボディに設けた係止部と凹凸係止する被係止部が設けられているので、各速結端子板の速結部の近傍でボディとカバーとの結合が強固になり、速結部に接続された電線に引っ張り力が加わったとしても、各速結端子板の近傍に設けられた係止部と被係止部とで外力を受けることにより、ボディとカバーとの結合が外れるのを防止できる。また、カバーの係止孔とボディの係止突起とを凹凸嵌合させることによって、ボディとカバーとが結合されるのであるが、係止孔と係止突起との間の隙間はカバーの開口側に比べて主面側の方が狭くなっているので、係止孔と係止突起との間の隙間がカバーの開口側と主面側とで略等しい場合に比べて係止孔が小さくなるから、係止孔と係止突起との結合を強固にでき、且つ、速結端子板が係止孔に対してカバーの主面側にある場合は、係止孔と係止突起との間の隙間がカバーの開口側と主面側とで略等しい場合に比べて、速結端子板と係止孔との間の絶遠距離を大きくとることができ、端子台の絶縁性が向上する。
【００１０】
請求項２の発明では、請求項１の発明において、上記被係止部の設けられたカバーの側面と対向する側面に、ボディに設けた別の係止部と凹凸係止する別の被係止部を設けたことを特徴とし、ボディとカバーとの結合をさらに強固にすることができる。
【００１１】
請求項３の発明では、請求項１の発明において、電線挿入口に近い側のカバーの側面において両端に位置する被係止部から隣接するカバーの側面までの距離が略等しくなるような位置に被係止部を設けたことを特徴とし、ボディとカバーとを結合する際に、ボディに設けた係止突起がカバーの側面に当接することによって、カバーの側面が外側に押し撓められるが、両端に位置する被係止部から隣接するカバーの側面までの距離が略等しくなっているので、両端の被係止部と嵌合する係止部がそれぞれカバーの側面に当接することによって生じるカバーの変形量が略等しくなり、カバーの変形量が異なることによってカバーが傾き、ボディとカバーとが嵌合しにくくなるのを防止できる。
【００１３】
請求項４の発明では、請求項１の発明において、上記係止突起の形状を略矩形状とし、少なくとも両端に位置する係止孔の形状を、カバーの主面側の辺に比べて開口側の辺の長さが長くなるような台形形状としたことを特徴とし、係止孔と係止突起との間の隙間がカバーの開口側に比べて主面側の方が狭くなるので、請求項１の発明と同様、係止孔と係止突起との間の隙間がカバーの開口側と主面側とで略等しい場合に比べて係止孔が小さくなるから、係止孔と係止突起との結合を強固にでき、且つ、速結端子板が係止孔に対してカバーの主面側にある場合は、係止孔と係止突起との間の隙間がカバーの開口側と主面側とで略等しい場合に比べて、速結端子板と係止孔との間の絶遠距離を大きくとることができ、端子台の絶縁性が向上する。
【００１４】
請求項５の発明では、請求項３又は４の発明において、上記係止突起は、カバーの主面から遠ざかるにつれて外方への突出量が大きくなるような断面形状に形成されたことを特徴とし、係止突起の表面はカバーの主面側から遠ざかるにつれて外方への突出量が大きくなるように傾斜しているので、ボディとカバーとを結合する際に、カバーの開口縁が係止突起の表面に沿って案内され、係止突起と係止孔との嵌合をスムーズに行うことができる。
【００１５】
【発明の実施の形態】
本実施形態の端子台について図１乃至図７を参照して説明する。この端子台は例えば天井面に取着される照明器具に取り付けられ、屋内配線された給電線と器具内の電線とを接続するために用いられる。この端子台のケース１は、絶縁性を有する合成樹脂からそれぞれ形成されたボディ２とカバー３とを結合して構成され、内部に３個の速結端子板４ａ〜４ｃが納装される。尚、３個の速結端子板４ａ〜４ｃの内、２個の速結端子板４ａ，４ｂは電源線接続用の端子板であり、速結端子板４ｃはアース線接続用の端子板である。
【００１６】
ボディ２は上面が開口した略箱状であって、底面２ａには速結端子板４ａ〜４ｃを位置決めするためのリブ５が複数突設されており、ボディ２のリブ５に速結端子板４ａ〜４ｃを嵌め込むと、３個の速結端子板４ａ〜４ｃは一列に配置される。一方、カバー３は下面が開口した略箱状であって、速結端子板４ａ〜４ｃを覆うようにしてボディ２に被着される。
【００１７】
カバー３の上面（主面）３ａ及び一側面３ｂには、外部より電線の芯線を挿入するための電線挿入口１０，１３がそれぞれ開口する。また、電線挿入口１３が形成されたカバー３の側面３ｂと対向するボディ２の側面２ｂには、電線挿入口１３に連通する電線挿入口１２が開口しており、この電線挿入口１０，１３に臨むようにして速結端子板４ａ〜４ｃがケース１の内部に収納されている。すなわち、カバー３の側面３ｂに設けた電線挿入口１３の奥には速結端子板３ａ〜３ｃの速結部が納装されているので、速結部の収納スペースを確保するため、上面３ａに設けた電線挿入口１０は、電線挿入口１３が開口する側面３ｂと反対側の側面３ｂに寄せて設けられている。尚、上面３ａに設けた電線挿入口１０には給電線が接続され、側面３ｂに設けた電線挿入口１３には器具内の電線が接続される。
【００１８】
ここで、速結端子板４ａ〜４ｃの配列方向と略直交する方向において対向するカバー３の側面３ｂの内、上面３ａに設けた電線挿入口１０に近い側の側面３ｂには、少なくとも速結端子板４ａ〜４ｃの数と同じ数（本実施形態では例えば速結端子板４ａ〜４ｃの数と同じ３個）の係止孔８が各速結端子板４ａ〜４ｃの近傍にそれぞれ穿設され、反対側の側面３ｂには一対の係止孔８が速結端子板４ａ，４ｂの近傍にそれぞれ穿設されている。一方、係止孔８の設けられたカバー３の側面３ｂと対向するボディ２の側面２ｂには、係止孔８に対応する部位に外側に向かって突出する係止突起７がそれぞれ突設されている。ここに、係止突起７から係止部が構成され、係止孔８から被係止部が構成される。
【００１９】
而して、ボディ２に速結端子板４ａ〜４ｃを取り付けた状態で、カバー３の開口をボディ２側にしてカバー３をボディ２に押し込むと、ボディ２の係止突起７がカバー３の側面３ｂに当接し、係止突起７によって側面３ｂが外側に押し撓められ、さらにカバー３をボディ２側に押し込むと、カバー３の側面３ｂが係止突起７を乗り越えて、側面３ｂに形成された係止孔８と係止突起７とが凹凸嵌合し、ボディ２とカバー３とが結合される。ここで、係止突起７は、カバー３の上面３ａから遠ざかるにつれて外方への突出量が大きくなるような断面形状に形成されており、係止突起７の表面はカバー３の上面３ａ側から遠ざかるにつれて外方への突出量が大きくなるように傾斜しているので、ボディ２とカバー３とを結合する際に、カバー３の開口縁が係止突起７の表面に沿って案内され、係止突起７と係止孔８との嵌合をスムーズに行うことができる。
【００２０】
上述のように本実施形態の端子台では、速結端子板４ａ〜４ｃの配列方向と略直交する方向において対向するカバー３の一対の側面３ｂの内、カバー３の上面３ａに設けた電線挿入口１０に近い側の側面３ｂに、速結端子板４ａ〜４ｃと同じ数の係止孔８を各速結端子板４ａ〜４ｃの近傍に形成すると共に、係止孔８が形成されたカバー３の側面３ｂと対向するボディ２の側面２ｂに係止孔８と凹凸嵌合する係止突起７を突設している。したがって、速結端子板４ａ〜４ｃに設けられた速結部の近傍でボディ２とカバー３との結合が強固になり、電線挿入口１０を介して速結端子板４ａ〜４ｃに接続された電線に引っ張り力が加わったとしても、この引っ張り力によってボディ２とカバー３との結合が外れるのを防止できる。
【００２１】
ところで、カバー３をボディ２に組み込む際に、ボディ２の係止突起７によってカバー３の側面３ｂが外側に押し撓められ、側面３ｂが変形するのであるが、ボディ２の一つの側面２ｂに係止突起７を３個以上形成すると共に、カバー３の対応する側面３ｂに係止孔８を３個以上形成した場合、係止孔８が設けられたカバー３の側面３ｂにおいて、両端に位置する係止孔８から隣接する側面３ｂまでの距離Ｌ１，Ｌ２が異なっていると、カバー３をボディ２に嵌め込む際に、両端に位置する係止突起７と側面３ｂとが当接することによってそれぞれ発生する側面３ｂの変形量が異なり、そのためカバー３が傾いて、中央にある係止突起７と係止孔８の位置が合わず、嵌合作業がやりにくいという問題がある。そこで、本実施形態の端子台では、図１に示すように、係止孔８が設けられたカバー３の側面３ｂにおいて、両端に位置する係止突起７から隣接する側面３ｂまでの距離Ｌ１，Ｌ２が略等しくなるような位置に係止突起７及び係止孔８を形成しており、カバー３をボディ２に嵌め込む際に、両端に位置する係止突起７と側面３ｂとが当接することによってそれぞれ発生する側面３ｂの変形量が略等しくなり、カバー３が傾くことはないから、係止突起７と係止孔８とを容易に嵌合させることができる。
【００２２】
また、ボディ２の側面２ｂには下方に突出する係止爪１４が突設されており、照明器具の取付板（被固定部）１００に設けられた取付孔１０１に係止爪１４を係止させることによって、ケース１は取付板１００に取り付けられる。尚、ボディ２の底面２ａには下方に突出する位置決め用の突起１５が設けられており、ケース１を取付板１００に取り付ける際に、突起１５を取付板１００に設けた孔１０２に挿入することにより、ケース１の位置決めが行われる。
【００２３】
次にケース１の内部に収納される速結端子板４ａ〜４ｃの構造について簡単に説明する。先ず電源線接続用の速結端子板４ａ，４ｂについて説明する。速結端子板４ａ，４ｂは、それぞれ、２個の導電部材２０，３０をかしめ固定して形成され、速結端子板４ａと速結端子板４ｂとは左右対称な形状に形成される。導電部材２０は導電性を有する板金を折曲加工して形成され、略矩形状の中央片２１と、中央片２１の長手方向における両側辺に突設された断面略円弧状の当接片２２，２２と、中央片２１の短幅方向における一側辺から中央片２１と略直交する方向に突出する突出片２３と、突出片２３の両側縁からそれぞれ当接片２２，２２側に向かって突出する鎖錠片２４，２４と、中央片２１の短幅方向における他側辺に一端が結合された器具線接続部２５とで構成され、導電部材２０は、器具線接続部２５が結合された中央片２１の側辺をボディ２の底面２ａ側とし、中央片２１をボディ２の底面２ａに対して略直交させた状態でボディ２に固定される。尚、鎖錠片２４の先端は当接片２２に近付くにつれてボディ２の底面２ａ側に近付く向きに傾斜しており、鎖錠片２４の先端には鎖錠片２４よりも幅狭の解除片２４ａが連続一体に形成されている。
【００２４】
器具線接続部２５は、ボディ２の底面２ａと略平行に配置され連結片２６ａを介して中央片２１に連結される当接片２６と、当接片２６の端縁から当接片２６と略直交する方向に突出する突出片２７と、突出片２７の一部を切り起こして形成され当接片２６との間に電線の芯線を弾性挟持する一対の鎖錠片２８とで構成される。ここで、当接片２６と鎖錠片２８とで構成される速結部はボディ２及びカバー３の側面２ｂ，３ｂに設けた電線挿入口１２，１３に臨むように配置されている。
【００２５】
また、導電部材３０は導電性を有する板金を折曲加工して形成され、導電部材２０の中央片２１にかしめ固定される固定片３１と、固定片３１と一体に形成され固定片３１と略直交する方向に突出する突出片３２と、突出片３２の両側縁から当接片２２，２２側に向かってそれぞれ突出する接触片３３，３３とで構成される。尚、接触片３３は当接片２２に近付くにつれてボディ２の底面２ａ側に近付く向きに傾斜しており、接触片３３の先端の断面形状は当接片２２側に凸となるような円弧状に形成されている。而して、導電部材３０の固定片３１を導電部材２０の中央片２１にかしめ固定すると、導電部材２０の当接片２２に導電部材３０の接触片３３が対向配置され、当接片２２と鎖錠片２４と接触片３３とで構成される速結部はカバー３の上面３ａに設けた電線挿入口１０に臨むように配置される。
【００２６】
一方、アース用の速結端子板４ｃは、導電性を有する板金を折曲加工して形成された導電部材４０を有し、この導電部材４０は、略矩形状の中央片４１と、中央片４１の長手方向における両側辺に突設された断面略円弧状の当接片４２，４２と、中央片４１の短幅方向における一側辺から中央片４１と略直交する方向に突出する突出片４３と、突出片４３の両側縁からそれぞれ当接片４２，４２側に向かって突出する鎖錠片４４，４４とで構成され、導電部材４０は、突出片４３が結合される中央片４１の一側辺をカバー３の上面３ａ側とし、中央片４１をボディ２の底面２ａに対して略直交させた状態でボディ２に固定される。尚、鎖錠片４４は当接片４２に近付くにつれてボディ２の底面２ａ側に近付く向きに傾斜しており、鎖錠片４４の先端には鎖錠片４４よりも幅狭の解除片４４ａが連続一体に形成されている。また、当接片４２，４２に対向配置され、当接片４２，４２との間で電線の芯線を保持する接触片（図示せず）が中央片４１の一部を切り起こして形成されており、この接触片と当接片４２と鎖錠片４４とで構成される速結部は、カバー３の上面に設けた電線挿入口１０に臨むように配置される。
【００２７】
また、ボディ２の底面２ａにはアース端子６が裏面から取り付けられており、アース端子６の弾接片６ａはボディ２の底面２ａに設けた開口（図示せず）からボディ２の内部に挿入され、導電部材４０の中央片４１に弾接し、速結端子板４ｃとアース端子６とが電気的に接続される。尚、ケース１を照明器具の取付板１００に固定すると、アース端子６は金属板からなる取付板１００に電気的に接続され、取付板１００が接地される。
【００２８】
ここで、速結端子板４ａ〜４ｃに給電線９０を接続する際は、カバー３の上面３ａに設けた電線挿入口１０に被覆の剥かれた電線の芯線を挿入すると、鎖錠片２４，４４のばね力によって鎖錠片２４，４４及び接触片３３と当接片２２，４２との間に芯線の導体が挟持され、鎖錠片２４，４４の先端が芯線の導体に食い込むことによって、芯線の脱落が防止されるようになっている。
【００２９】
ところで、カバー３の上面３ａに切り溝３ｃを形成することによって、基部がカバー３に結合されカバー３に上下動自在に支持された略Ｔ字状の解除アーム１７が形成されており、解除アーム１７の先端部は速結端子板４ａ〜４ｃの解除片２４ａ，４４ａに対向している。而して、マイナスドライバーなどの工具の先端で解除アーム１７の先端部をボディ２側に押し込むと、解除アーム１７によって解除片２４ａ，４４ａがボディ２側に押圧され、鎖錠片２４，４４が当接片２２，４２から遠ざかる向きに押し撓められるので、電線の接続状態が解除され、当接片２２，４２と鎖錠片２４，４４との間に接続された電線を容易に引き抜くことが出来る。
【００３０】
また、速結端子板４ａ，４ｂに器具内の電線を接続する際は、ボディ２及びカバー３に形成された電線挿入口１２，１３に被覆の剥かれた電線の芯線を挿入すると、鎖錠片２８のばね力によって当接片２６と鎖錠片２８との間に芯線の導体が挟持され、鎖錠片２８の先端が芯線の導体に食い込むことによって、芯線の脱落が防止されるようになっている。
【００３１】
ここで、カバー３の側面３ｂにおける鎖錠片２８の略中央に対応する部位には側面３ｂを貫通する貫通孔１６が穿設されており、この貫通孔１６に棒状の工具を挿入して鎖錠片２８を押圧すると、鎖錠片２８の先端が当接片２６から遠ざかる方向に鎖錠片２８が押し撓められ、電線の接続状態が解除されるので、当接片２６と鎖錠片２８との間に接続された電線を容易に引き抜くことが出来る。
【００３２】
ところで、ボディ２の側面２ｂに突設した係止突起７は表面が略矩形状に形成されているが、図７（ｂ）に示すように、係止孔８の形状を係止突起７と同じ形状に形成する場合、係止突起７と係止孔８との嵌合をスムーズに行うため、係止孔８を係止突起７よりも若干大きめの寸法に形成していた。そのため、係止孔８の近傍に速結端子板４ａ〜４ｃが配置されていると、速結端子板４ａ〜４ｃから係止孔８までの絶縁距離が短くなり、絶縁性能が低下する虞がある。そこで、本実施形態の端子台では、図５（ａ）（ｂ）及び図７（ａ）に示すように、カバー３の上面３ａに設けた電線挿入口１０に近い側の側面３ｂに形成された係止孔８の形状を、カバー３の上面３ａ側の辺に比べて開口側の辺の長さが短くなるような台形形状としている。したがって、ボディ２とカバー３とを結合した際に、ケース１の内部に収納された速結端子板４ａと係止孔８との間の距離Ｌ４は、係止孔８の形状を矩形状とした場合の距離Ｌ３に比べて長くなるから、速結端子板と係止孔との間の距離を大きくとることができ、端子台の絶縁性能が向上する。また、係止孔８の形状は、カバー３の上面３ａ側の辺に比べて開口側の辺の長さが短くなるような台形形状となっているので、係止突起７をカバー３の側面３ｂが乗り越える際、図６に二点鎖線で示すように、側面３ｂの開口側の部位は、係止孔８よりも上面側の部位に比べて大きく動くため、カバー３をボディ２から取り外す際に大きな力が必要となり、また係止孔８が小さくなって、係止突起７と係止孔８との間の隙間が小さくなるから、ボディ２とカバー３との結合を強固にできる。
【００３３】
尚、本実施形態では係止突起７の形状を略矩形状とし、係止孔８の形状を台形形状としているが、係止突起７及び係止孔８の形状を上記の形状に限定する趣旨のものではなく、カバー３の開口側における係止突起７と係止孔８との間の隙間よりも、カバー３の上面３ａ側における係止突起７と係止孔８との間の隙間の方が小さくなるような形状であれば、係止突起７及び係止孔８の形状をどのような形状に形成しても良い。
【００３４】
【発明の効果】
上述のように、請求項１の発明は、電線の導体と当接する当接片及び前記当接片との間に電線の導体を弾性挟持する鎖錠片からなる速結部を備える速結端子板と、絶縁性を有する合成樹脂から形成され内部に速結端子板が少なくとも３個以上納装されるケースとを備え、前記ケースを、被固定部に固定され速結端子板が一列に並べて取り付けられるボディと、一面開口した略箱状であって速結端子板を覆うようにしてボディに被着されるカバーとで構成し、ボディと対向するカバーの主面には各速結端子板に対応してカバーを貫通する電線挿入口がカバーの一つの側面に寄せて形成され、前記電線挿入口に速結部を臨ませるようにして速結端子板はボディに配置されており、電線挿入口に近い側のカバーの側面に少なくとも速結端子板の数と同数の被係止部を各速結端子板の近傍にそれぞれ設けると共に、前記被係止部に対応するボディの部位に被係止部と凹凸係止する係止部を設けてあり、前記係止部をボディの表面に突設された係止突起で構成すると共に、前記被係止部をカバーに設けられた係止孔で構成し、少なくとも両端に位置する係止孔の形状を、カバーの主面側における係止孔と係止突起との間の隙間が、カバーの開口側における係止孔と係止突起との間の隙間よりも小さくなるような形状としたことを特徴とし、電線挿入口に近い側のカバーの側面、すなわち速結端子板の速結部に近い側のカバーの側面における速結端子板付近の部位には、それぞれ、ボディに設けた係止部と凹凸係止する被係止部が設けられているので、各速結端子板の速結部の近傍でボディとカバーとの結合が強固になり、速結部に接続された電線に引っ張り力が加わったとしても、各速結端子板の近傍に設けられた係止部と被係止部とで外力を受けることにより、ボディとカバーとの結合が外れるのを防止できるという効果がある。また、カバーの係止孔とボディの係止突起とを凹凸嵌合させることによって、ボディとカバーとが結合されるのであるが、係止孔と係止突起との間の隙間はカバーの開口側に比べて主面側の方が狭くなっているので、係止孔と係止突起との間の隙間がカバーの開口側と主面側とで略等しい場合に比べて係止孔が小さくなるから、係止孔と係止突起との結合を強固にでき、且つ、速結端子板が係止孔に対してカバーの主面側にある場合は、係止孔と係止突起との間の隙間がカバーの開口側と主面側とで略等しい場合に比べて、速結端子板と係止孔との間の絶遠距離を大きくとることができ、端子台の絶縁性が向上するという効果もある。
【００３５】
請求項２の発明は、請求項１の発明において、上記被係止部の設けられたカバーの側面と対向する側面に、ボディに設けた別の係止部と凹凸係止する別の被係止部を設けたことを特徴とし、ボディとカバーとの結合をさらに強固にできるという効果がある。
【００３６】
請求項３の発明は、請求項１の発明において、電線挿入口に近い側のカバーの側面において両端に位置する被係止部から隣接するカバーの側面までの距離が略等しくなるような位置に被係止部を設けたことを特徴とし、ボディとカバーとを結合する際に、ボディに設けた係止突起がカバーの側面に当接することによって、カバーの側面が外側に押し撓められるが、両端に位置する被係止部から隣接するカバーの側面までの距離が略等しくなっているので、両端の被係止部と嵌合する係止部がそれぞれカバーの側面に当接することによって生じるカバーの変形量が略等しくなり、カバーの変形量が異なることによってカバーが傾き、ボディとカバーとが嵌合しにくくなるのを防止できるという効果がある。
【００３８】
請求項４の発明は、請求項１の発明において、上記係止突起の形状を略矩形状とし、少なくとも両端に位置する係止孔の形状を、カバーの主面側の辺に比べて開口側の辺の長さが長くなるような台形形状としたことを特徴とし、係止孔と係止突起との間の隙間がカバーの開口側に比べて主面側の方が狭くなるので、請求項１の発明と同様、係止孔と係止突起との間の隙間がカバーの開口側と主面側とで略等しい場合に比べて係止孔が小さくなるから、係止孔と係止突起との結合を強固にでき、且つ、速結端子板が係止孔に対してカバーの主面側にある場合は、係止孔と係止突起との間の隙間がカバーの開口側と主面側とで略等しい場合に比べて、速結端子板と係止孔との間の絶遠距離を大きくとることができ、端子台の絶縁性が向上するという効果がある。
【００３９】
請求項５の発明は、請求項３又は４の発明において、上記係止突起は、カバーの主面から遠ざかるにつれて外方への突出量が大きくなるような断面形状に形成されたことを特徴とし、係止突起の表面はカバーの主面側から遠ざかるにつれて外方への突出量が大きくなるように傾斜しているので、ボディとカバーとを結合する際に、カバーの開口縁が係止突起の表面に沿って案内され、係止突起と係止孔との嵌合をスムーズに行えるという効果がある。
【図面の簡単な説明】
【図１】本実施形態の端子台の外観斜視図である。
【図２】同上の端子台の分解斜視図である。
【図３】同上の端子台を裏返した状態の外観斜視図である。
【図４】同上の端子台の使用状態を説明する説明図である。
【図５】同上の端子台を示し、（ａ）はカバーを外した状態の一部拡大せる上面図、（ｂ）は一部拡大せる側面図である。
【図６】同上の端子台の要部拡大図である。
【図７】（ａ）は本実施形態の端子台の要部拡大図であり、（ｂ）は従来の端子台の要部拡大図である。
【図８】従来の端子台の分解斜視図である。
【図９】同上のカバーを外した状態の上面図である。
【符号の説明】
１    ケース
２    ボディ
３    カバー
３ａ  上面
３ｂ  側面
４ａ〜４ｃ  速結端子板
７    係止突起
８    係止孔
１０  電線挿入口
【図１】
0003760070.tif 000002
【図２】
0003760070.tif 000003
【図３】
0003760070.tif 000004
【図４】
0003760070.tif 000005
【図５】
0003760070.tif 000006
【図６】
0003760070.tif 000007
【図７】
0003760070.tif 000008
【図８】
0003760070.tif 000009
【図９】
0003760070.tif 000010